【手続補正書】
【提出日】平成26年6月3日(2014.6.3)
【手続補正１】
【補正対象書類名】特許請求の範囲
【補正対象項目名】全文
【補正方法】変更
【補正の内容】
【特許請求の範囲】
【請求項１】
複数の画素ユニットが二次元状に配列された画素アレイを有する固体撮像装置であって、前記画素アレイは、複数の列信号線を有し、各画素ユニットは、少なくとも１つの光電変換素子と、前記光電変換素子で生じた電荷に応じた信号を前記列信号線に出力する増幅トランジスタとを有し、前記固体撮像装置は、
カスコード接続された第１トランジスタおよび第２トランジスタを含み、前記増幅トランジスタに電流を供給するカスコード電流源と、
前記第１トランジスタのゲートに接続された第１ノードの電圧を決定する第１バイアス回路と、
前記第２トランジスタのゲートに接続された第２ノードの電圧を決定する第２バイアス回路と、を備え、
前記増幅トランジスタと前記カスコード電流源とによってソースフォロア回路が構成され、
前記第１バイアス回路は、前記カスコード電流源が動作状態であるとき及び前記カスコード電流源が非動作状態であるときにおける前記第１トランジスタの電流駆動能力が同じになるように前記第１ノードの電圧を決定し、
前記第２バイアス回路は、前記カスコード電流源が動作状態であるときの前記第２トランジスタの電流駆動能力よりも前記カスコード電流源が非動作状態であるときの前記第２トランジスタの電流駆動能力が小さくなるように前記第２ノードの電圧を決定する、
ことを特徴とする固体撮像装置。
【請求項２】
前記固体撮像装置は、第１電圧ラインと第２電圧ラインとの間に配置された第１電流源を更に備え、
前記第１バイアス回路は、
前記第１電流源と前記第２電圧ラインとの間に配置された第３トランジスタと、
前記第１電流源と前記第３トランジスタとの間に配置された第４トランジスタとを含み、
前記第３トランジスタのゲートおよび前記第１ノードが前記第１電流源と前記第４トランジスタとの間のノードに接続され、前記第４トランジスタのゲートには、前記第４トランジスタがオンする電圧が提供される、
ことを特徴とする請求項１に記載の固体撮像装置。
【請求項３】
前記第１バイアス回路は、前記第４トランジスタのゲートが接続された第３ノードに与える電圧を保持する保持容量を含み、
前記第２バイアス回路は、前記動作状態において前記第２ノードと前記第３ノードとを接続することによって前記保持容量を充電し、前記非動作状態において前記第２ノードと前記第３ノードとを切断する第５トランジスタを含む、
ことを特徴とする請求項２に記載の固体撮像装置。
【請求項４】
前記第２バイアス回路は、
前記動作状態において前記第２ノードの電圧を設定する第２ソースフォロア回路と、
前記動作状態における前記第２トランジスタの電流駆動能力よりも前記非動作状態における前記第２トランジスタの電流駆動能力が小さくなるように、前記第２ノードの電圧を設定する回路と、を含む、
ことを特徴とする請求項１乃至３のいずれか１項に記載の固体撮像装置。
【請求項５】
前記第２ソースフォロア回路は、負荷回路として、前記動作状態における前記第２ノードの電圧がゲートに印加されるトランジスタを含む、
ことを特徴とする請求項４に記載の固体撮像装置。
【請求項６】
前記第２ソースフォロア回路は、負荷回路として抵抗素子を含む、
ことを特徴とする請求項４に記載の固体撮像装置。
【請求項７】
前記第２ソースフォロア回路は、負荷回路として定電流源を含む、
ことを特徴とする請求項４に記載の固体撮像装置。
【請求項８】
前記第２トランジスタは、前記動作状態における飽和領域で動作する、
ことを特徴とする請求項１乃至７のいずれか１項に記載の固体撮像装置。
【請求項９】
前記第１トランジスタおよび前記第２トランジスタは、ＮＭＯＳトランジスタである、
ことを特徴とする請求項１乃至８のいずれか１項に記載の固体撮像装置。
【請求項１０】
前記第１トランジスタおよび前記第２トランジスタは、ＰＭＯＳトランジスタである、
ことを特徴とする請求項１乃至８のいずれか１項に記載の固体撮像装置。
【請求項１１】
複数の画素ユニットが二次元状に配列された画素アレイを有する固体撮像装置であって、前記画素アレイは、複数の列信号線を有し、各画素ユニットは、少なくとも１つの光電変換素子と、前記光電変換素子で生じた電荷に応じた信号を前記列信号線に出力する増幅トランジスタとを有し、前記固体撮像装置は、
カスコード接続された第１トランジスタおよび第２トランジスタを含み、前記増幅トランジスタに電流を供給するカスコード電流源と、
前記第１トランジスタのゲートに接続された第１ノードの電圧を決定する第１バイアス回路と、
前記第２トランジスタのゲートに接続された第２ノードの電圧を決定する第２バイアス回路と、を備え、
前記増幅トランジスタと前記カスコード電流源とによってソースフォロア回路が構成され、
前記第１バイアス回路は、前記カスコード電流源が動作状態であるときと前記カスコード電流源が非動作状態であるときとにおいて前記第１ノードの電圧を同一の大きさに設定し、
前記第２バイアス回路は、前記カスコード電流源が動作状態であるときは前記第２トランジスタが飽和領域で動作し、前記カスコード電流源が非動作状態であるときは前記第２トランジスタがオフするか線形領域で動作するように前記第２ノードの電圧を設定する、
ことを特徴とする固体撮像装置。
【請求項１２】
複数の画素ユニットが二次元状に配列された画素アレイを有する固体撮像装置であって、前記画素アレイは、複数の列信号線を有し、各画素ユニットは、少なくとも１つの光電変換素子と、前記光電変換素子に蓄積された電荷に応じた信号を前記列信号線に出力する増幅トランジスタとを有し、前記固体撮像装置は、
カスコード接続された第１トランジスタおよび第２トランジスタを含むカスコード電流源を有する差動増幅回路を含み、前記画素アレイから前記列信号線に出力される信号を読み出す読み出し回路と、
前記第１トランジスタのゲートに接続された第１ノードの電圧を決定する第１バイアス回路と、
前記第２トランジスタのゲートに接続された第２ノードの電圧を決定する第２バイアス回路と、を備え、
前記第１バイアス回路は、前記読み出し回路を動作させる読み出し状態における前記第１トランジスタの電流駆動能力と前記読み出し回路を動作させない非読み出し状態における前記第１トランジスタの電流駆動能力とが同じになるように前記第１ノードの電圧を決定し、
前記第２バイアス回路は、前記読み出し状態における前記第２トランジスタの電流駆動能力よりも前記非読み出し状態における前記第２トランジスタの電流駆動能力が小さくなるように前記第２ノードの電圧を決定する、
ことを特徴とする固体撮像装置。
【請求項１３】
複数の画素ユニットが二次元状に配列された画素アレイを有する固体撮像装置であって、前記画素アレイは、複数の列信号線を有し、各画素ユニットは、少なくとも１つの光電変換素子と、前記光電変換素子に蓄積された電荷に応じた信号を前記列信号線に出力する増幅トランジスタとを有し、前記固体撮像装置は、
カスコード接続された第１トランジスタおよび第２トランジスタを含むカスコード電流源を有する差動増幅回路を含み、前記画素アレイから前記列信号線に出力される信号を読み出す読み出し回路と、
前記第１トランジスタのゲートに接続された第１ノードの電圧を決定する第１バイアス回路と、
前記第２トランジスタのゲートに接続された第２ノードの電圧を決定する第２バイアス回路と、を備え、
前記第１バイアス回路は、前記読み出し回路を動作させる読み出し状態と前記読み出し回路を動作させない非読み出し状態とにおいて前記第１ノードの電圧を同一の大きさに設定し、
前記第２バイアス回路は、前記読み出し状態では前記第２トランジスタが飽和領域で動作し、前記非読み出し状態では前記第２トランジスタがオフするか線形領域で動作するように前記第２ノードの電圧を設定する、
ことを特徴とする固体撮像装置。
【請求項１４】
請求項１乃至１３のいずれか１項に記載の固体撮像装置と、
前記固体撮像装置から出力される信号を処理する処理部と、
を備えることを特徴とするカメラ。